(57)【要約】【課題】  電子カメラ内部に漂う塵埃などの異物が撮影画像に映り込むことを防止する。【解決手段】  スプレー缶１００を使用してエアー等のガスを開口１７から吹き付けて飛ばし、カバーガラス２４などを清掃する。エアー等のガスを吹き付けて飛ばしてカバーガラス１２などを清掃すると、カメラ本体１２内に塵埃等の異物が飛散する。飛散した異物は、蛇腹部材５０の内面５０Ａの粘着層と、ＣＣＤ２２の前面を保護するカバーガラス２４の外縁部に取り付けられた粘着部材６０の表面６０Ａの粘着層と、に付着する。よって、飛散して漂った異物がカバーガラス２４に再び付着し、撮影画像に映り込むことが防止される。【選択図】        図６
2006060712.tif 000002
【特許請求の範囲】
【請求項１】
撮影レンズと、
前記撮影レンズにより結像した被写体像を電気信号に変換する撮像素子と、
前記撮影レンズから前記撮像素子までの光軸まわりの撮影光路外に配置され、前記撮影光路面側に粘着層が形成された蛇腹部材と、
を備えることを特徴とする電子カメラ。
【請求項２】
前記蛇腹部材は、遮光材からなっていることを特徴とする請求項１に記載の電子カメラ。
【請求項３】
前記撮影レンズを備える撮影レンズユニットと、
前記撮影レンズユニットを交換可能にマウントするカメラ本体と、
で構成されていることを特徴とする請求項１又は請求項２に記載の電子カメラ
【請求項４】
前記撮像素子の周縁部又は周縁部近傍に、表面に粘着層が形成された粘着部材が配置されていることを特徴とする請求項１から請求項３のいずれか１項に記載の電子カメラ。
【発明の詳細な説明】
【技術分野】
【０００１】
本発明は、電子カメラに関する。
【背景技術】
【０００２】
近年、ＣＣＤ等の撮像素子を用いるデジタルカメラが数多く市場に出回るようになっている。このような、デジタルカメラは、ＣＣＤ等の撮像素子の前面に配置されたカバーガラスなどに、被写体とは無関係な塵埃等の異物が付着すると、この異物も撮影画像に写り込んでしまうという問題がある。
【０００３】
なお、従来の銀塩フィルムを使用するカメラでもまた、フィルム上に異物が付着すると写り込んでしまうが、フィルムの場合は１駒毎にフィルムが移動するため、全ての駒に同様の異物が写り込むのは大変希である。しかし、ＣＣＤ等の撮像素子の場合は、撮影後に移動しないので、一旦異物が付着すると多くの駒に異物が写り込んでしまう。
【０００４】
よって、撮影レンズ交換時などに、ブロアやスプレー噴射式のガスボンベ等を使用してエアー等のガスを吹き付けて飛ばし、カバーガラスなどを清掃している。
【０００５】
また、撮影レンズ群の前後動に追従して伸縮する蛇腹部材の表面にテフロン（登録商標）コートやフッ素コートなどのコーティング処理を施し、砂・ゴミ等の小さな異物の付着を防止し、撮影レンズ群の動作を支障を与えないようにした構成が提案されている。（例えば、特許文献１参照）。
【特許文献１】特開２０００−３５６７３１号公報
【発明の開示】
【発明が解決しようとする課題】
【０００６】
しかしながら、エアー等のガスを吹き付けて飛ばしてカバーガラスなどを清掃すると、カメラ本体内に塵埃が飛散して漂い、再びカバーガラスなどに付着し、撮影画像に映り込むことがあった。
【０００７】
本発明は、上記問題を解決すべく成されたもので、電子カメラ内部に漂う塵埃などの異物が撮影画像に映り込むことを防止することを目的とする。
【課題を解決するための手段】
【０００８】
請求項１に記載の電子カメラは、撮影レンズと、前記撮影レンズにより結像した被写体像を電気信号に変換する撮像素子と、前記撮影レンズから前記固定撮像素子までの光軸まわりの撮影光路外に配置され、前記撮影光路面側に粘着層が形成された蛇腹部材と、を備えることを特徴としている。
【０００９】
請求項１に記載の電子カメラは、撮影レンズにより結像した被写体像を撮像素子電気信号に変換している。撮影レンズから撮像素子までの光軸まわりの撮影光路外に蛇腹部材が配置され、蛇腹部材の撮影光路面側には粘着層が形成されている。
【００１０】
よって、電子カメラ内部に漂う塵埃などの異物が蛇腹部材の粘着層に付着し、撮影画像に映り込むことが防止される。なお、粘着層は蛇腹状のため表面積が広い、つまり、異物が付着する面積が広いので効果的である。
【００１１】
請求項２に記載の電子カメラは、請求項１に記載の構成において、前記蛇腹部材は、遮光材からなっていることを特徴としている。
【００１２】
請求項２に記載の電子カメラは、撮影レンズから撮像素子までの光軸まわりの撮影光路外に配置された蛇腹部材は、遮光材からなっている。よって、外部から侵入する光を遮光する部材を別途を設ける必要がないので、低コスト・省スペースである。
【００１３】
請求項３に記載の電子カメラは、請求項１又は請求項２に記載の構成において、前記撮影レンズを備える撮影レンズユニットと、前記撮影レンズユニットを交換可能にマウントするカメラ本体と、で構成されていることを特徴としてる。
【００１４】
請求項３に記載の電子カメラは、撮影レンズユニットがカメラ本体に交換可能にマウントされる。
【００１５】
撮影レンズユニットを交換する際に塵埃などの異物が外部から侵入するが、異物は蛇腹部材の撮影光路面側に形成された粘着層に付着するので、塵埃などの異物が撮影画像に写り込むことが防止される。
【００１６】
また、撮影レンズ交換時などに、ブロアやスプレー噴射式のガスボンベ等を使用してエアー等のガスを吹き付けて飛ばし清掃し、塵埃が飛散して漂っても、蛇腹部材の粘着層に付着するので、塵埃などの異物が撮影画像に写り込むことが防止される。
【００１７】
請求項４に記載の電子カメラは、請求項１から請求項３のいずれか１項に記載の構成において、前記撮像素子の周縁部又は周縁部近傍に、粘着層が形成された粘着部材が配置されていることを特徴としている。
【００１８】
請求項４に記載の電子カメラは、請求項１から請求項３のいずれか１項に記載の構成において、前記撮像素子の周縁部に、表面に粘着層が形成された粘着部材が配置されていることを特徴としている。
【００１９】
請求項４に記載の電子カメラは、撮像素子の周縁部にも、表面に粘着層が形成された粘着部材が配置され、この粘着部材の粘着層にも電子カメラ内部に漂う塵埃などの異物が付着する。よって、より効果的に異物が撮影画像に映り込むことが防止される。
【発明の効果】
【００２０】
以上説明したように本発明によれば、電子カメラ内部に漂う塵埃などの異物が蛇腹部材の粘着層に付着し、撮影画像に映り込むことが防止される。
【発明を実施するための最良の形態】
【００２１】
本発明の一の実施形態に係るデジタルカメラについて説明する。
【００２２】
図１に示すように、デジタルカメラ１０は、主に静止画像を撮影するデジタルカメラである。図１と図２とに示すように、デジタルカメラ１０は、カメラ本体１２の前面（正面）部に撮影レンズユニットマウント部１４が備えられ、撮影レンズユニットマウント部１４を介して撮影レンズユニット１６が交換可能に装着される。
【００２３】
撮影レンズユニット１６は、絞り機構８０（図７参照）やフォーカシングレンズ８２などの複数の撮影レンズ３００を備えている。なお、カメラ本体１２に最も近い撮影レンズ３００は撮影レンズ３０１である。また、シャッターボタン１８が正面に向かって左上部に配置されている。
【００２４】
図３に示すように、デジタルカメラ１０の背面外装部には、光学ファインダ６１、表示パネル６２、液晶モニタ６４、十字ボタン６６、メニュー／実行ボタン６７、バックボタン６８、ファンクションボタン６３などが設けられている。
【００２５】
液晶モニタ６４には、被写体像及び記録済み画像の再生画像を表示させることができる。また、現在設定されているモードの情報、画像の圧縮率の情報、日時情報、コマ番号なども表示される。更に、ユーザーが各種の設定操作等を行う際のユーザインターフェース用表示画面としても利用され、必要に応じて設定項目などのメニュー情報も表示される。
【００２６】
図４に示すように、カメラ本体１２の内部の後部（図４では右側）には、撮像素子であるＣＣＤ２２が配置され、ＣＣＤ２２の前面はカバーガラス２４で保護されている。ＣＣＤ２２は多数のフォトダイオード（図示省略）が平面的に配列され、ハニカム配列、ベイヤー配列その他の所定のカラーフィルター配列構造を備えている。なお、カバーガラス２４は、撮像素子の前面に配置される各種光学フィルター、例えば、モアレを軽減するためのローパスフィルターである場合も含む。また、一点鎖線は、光軸２０１を示している。
【００２７】
さて、図２と図４とに示すように、カメラ本体１２内部には、撮影レンズユニットマウント部１４からＣＣＤ２２を保護するカバーガラス２４までの間の光軸２０１まわりの撮影光路は、筒状で蛇腹状となった蛇腹部材５０で囲まれている。蛇腹部材５０の内面５０Ａ（撮影光路側面）には、粘着層が形成されている。なお、蛇腹部材５０の円筒の軸方向は、光軸２０１と同一である。また、蛇腹部財５０は、遮光性を備えている、よって、外部からの光が撮影画像に写り込むことはない。
【００２８】
また、ＣＣＤ２２の前面を保護するカバーガラス２４の外縁部に、表面６０Ａに粘着層が形成された粘着部材６０が取り付けられている。
【００２９】
さて、図７は、デジタルカメラ１０（カメラ本体１２及び撮影レンズユニット１６）の内部構成を示すブロック図である。撮影レンズユニット１６は、絞り機構８０とフォーカシングレンズ８２などの複数の撮影レンズ３００とを備えるとともに、絞り機構８０を駆動する手段としてのアイリスモータ８３及びその駆動回路（モータドライバ）８４、フォーカシングレンズ８２を駆動する手段としてのＡＦモータ８６及びその駆動回路（モータドライバ）８７、並びに制御用の中央処理装置（以下、撮影レンズＣＰＵという。）８８、各種データが格納されているＲＯＭ８９等が内蔵されている。
【００３０】
不揮発性記憶手段であるＲＯＭ８９は書き換え不能なものであってもよいし、ＥＥＰＲＯＭのように書き換え可能なものでもよい。ＲＯＭ８９には当該撮影レンズユニット１６の型名、焦点距離、Ｆナンバー、その他の撮影レンズ性能に関する各種情報（以下、「撮影レンズ情報」という。）が格納されている。
【００３１】
撮影レンズユニット１６をカメラ本体１２の撮影レンズマウント部１４に装着すると（図１と図２とを参照）、撮影レンズマウント部１４に設けられている電気接点部１４Ａと撮影レンズユニット１６の電気接点部１６Ａとを介して撮影レンズユニット１６とカメラ本体１２が電気的に接続され、デジタルカメラ１０内のＣＰＵ（以下、カメラＣＰＵという。）９０と撮影レンズＣＰＵ８８の間で信号の受渡しが可能となる。
【００３２】
カメラＣＰＵ９０は、所定のプログラムに従って本カメラシステムを統括制御する制御手段として機能するとともに、ＡＥ／ＡＦ演算など各種の演算を実施する演算手段として機能する。カメラＣＰＵ９０に接続されているＲＯＭ９１には、カメラＣＰＵ９０が実行するプログラム及び制御に必要な各種データ等が格納されており、ＲＡＭ９２はカメラＣＰＵ９０の作業用領域として利用される。不揮発性記憶手段であるＲＯＭ９１は書き換え不能なものであってもよいし、ＥＥＰＲＯＭのように書き換え可能なものでもよい。
【００３３】
カメラＣＰＵ９０は、カメラ本体１２に設けられている電源スイッチ９３、モード選択スイッチ９４、及びレリーズ検出スイッチ９５その他の操作部９６からの指示信号に基づいてデジタルカメラ１０内の各回路の動作を制御する。なお、操作部９６は図３で説明した十字ボタン６６、メニュー／実行ボタン６７、バックボタン６８、ファンクションボタン６３等の各種の操作手段を含むブロックである。
【００３４】
電源スイッチ９３は、デジタルカメラ１０の主電源をＯＮ／ＯＦＦする操作手段である。カメラＣＰＵ９０は電源スイッチ９３の状態を監視し、その状態に応じて電源回路９７を制御する。すなわち、電源スイッチ９３の閉（ＯＮ）状態を検出すると、カメラＣＰＵ９０は電源回路９７に対して起動指令の信号を与え、電源回路９７を起動させる。
【００３５】
電源回路９７はＤＣ／ＤＣコンバータを含む。デジタルカメラ１０に装填されている電池９８から供給される電力は、電源回路９７のＤＣ／ＤＣコンバータによって所要の電圧に変換された後、電源回路９７よりデジタルカメラ１０内の各回路ブロックに供給される。電源スイッチ９３の開（ＯＦＦ）状態を検出すると、カメラＣＰＵ９０は電源回路９７に対して停止指令の信号を与え、電源回路９７からの電力供給を停止させる。なお、主電源のＯＮ／ＯＦＦについては、電源スイッチ９３の操作に限らず、オートパワーＯＮ機能（設定された時刻にパワーＯＮする機能）やオートパワーＯＦＦ機能（一定時間の無操作状態が継続した場合や設定された時刻に自動的にパワーＯＦＦする機能）によって切り換わる態様もある。
【００３６】
また、カメラＣＰＵ９０は、電気接点部１４Ａを介して伝達される電気信号に基づいて撮影レンズユニット１６の着脱を検出することができるとともに、装着された撮影レンズユニット１６から撮影レンズ情報を取得することができる。取得した撮影レンズ情報はデジタルカメラ１０のＥＥＰＲＯＭ（不揮発性記憶手段）９９に記憶され、その情報内容は電源ＯＦＦの状態においても保持される。カメラＣＰＵ９０はＥＥＰＲＯＭ９９内に保持しているデータと、電源ＯＮ時に新たに撮影レンズユニット１６から取得した撮影レンズ情報を比較することによって、撮影レンズ交換が行われたか否かを判断する。
【００３７】
モード選択スイッチ９４は、デジタルカメラ１０の動作モードを設定する手段であり、このモード切換スイッチを操作することによって「撮影モード」（撮影を行うモード）や「再生モード」（記録画像を再生するモード）などの各モードに設定できる。レリーズ検出スイッチ９５は、シャッターボタン１８（図１参照）の内部に配設される検出スイッチであり、シャッターボタン１８の半押し時にＯＮするＳ１スイッチと、全押し時にＯＮするＳ２スイッチから構成される。
【００３８】
モード選択スイッチ９４によって「撮影モード」が選択されると、デジタルカメラ１０は撮影可能な状態になる。カメラＣＰＵ９０がシャッターボタン１８の半押し（Ｓ１＝ＯＮ）を検出すると、ＡＥ及びＡＦ処理を実施し、その後、シャッターボタン１８の全押し（Ｓ２＝ＯＮ）を検知すると、記録用の画像を取り込むためのＣＣＤ露光及び読み出し制御を開始する。
【００３９】
デジタルカメラ１０に搭載されたＡＥ機能はＴＴＬ方式のＡＥであり、デジタルカメラ１０内部には、検出系としてのＡＥセンサ（受光素子）１００と、撮影レンズの透過光を分岐してＡＥセンサ１００まで導く検出光路を形成する光学系（不図示）とが設けられている。また、デジタルカメラ１０のＡＦ機能はＴＴＬ位相差式ＡＦであり、デジタルカメラ１０内部には位相差式ＡＦの検出系であるＡＦモジュール１０１と、検出光路の形成に必要な光学系（不図示）とが配設されている。ＡＥセンサ１００やＡＦモジュール１０１の配置構造や光学系の構成などについては、本発明の実施において特に限定されるものではく、様々な態様を適用できる。また、ＡＥ／ＡＦ機能を実現する手段は、上述の例に限定されず、他のＡＥ／ＡＦ方式を用いてもよい。
【００４０】
シャッターボタン１８が「半押し」されると（Ｓ１＝ＯＮ）、カメラＣＰＵ９０は、ＡＦモジュール１０１からの検出信号に基づいてピント状態を判定し、フォーカシングレンズ８２の移動制御信号を生成する。この移動制御信号は撮影レンズＣＰＵ８８に送られる。撮影レンズＣＰＵ８８はカメラＣＰＵ９０からの信号に基づいてモータドライバ８７を制御してＡＦモータ８６を作動させ、フォーカシングレンズ８２を合焦位置に移動させる。
【００４１】
また、カメラＣＰＵ９０は、ＡＥセンサ１００からの検出信号に基づいてＡＥ演算を行い、絞り値やシャッタースピードを算出する。カメラＣＰＵ９０で生成された絞り制御信号は撮影レンズＣＰＵ８８に送られる。撮影レンズＣＰＵ８８はカメラＣＰＵ９０からの信号に基づいてモータドライバ８４を制御してアイリスモータ８３を作動させ、絞り機構８０を所要の開口にする。
【００４２】
シャッターボタン１８が「全押し」されると（Ｓ２＝ＯＮ）、カメラＣＰＵ９０は、ＡＥ演算の結果に基づいて、ＣＣＤ２２の電荷蓄積時間を制御する。撮影レンズユニット１６を介してＣＣＤ２２に結像された被写体の光学像は、ＣＣＤ２２によって光電変換される。
【００４３】
ＣＣＤ２２の各フォトダイオード（図示省略）に蓄積された信号電荷は、タイミングジェネレータ（ＴＧ）１０３から与えられるパルスに基づいて信号電荷に応じた電圧信号（撮像信号）として順次読み出される。ＣＣＤ２２から出力された信号はアナログ処理部１０４に送られ、相関二重サンプリング（ＣＤＳ）処理、色分離、ゲイン調整などの所要の処理が行われる。アナログ処理部１０４で生成された画像信号はＡ／Ｄ変換器１０６によってデジタル信号に変換された後、画像入力コントローラ１０８を介してメモリ１１０に格納される。なお、タイミングジェネレータ１０３は、カメラＣＰＵ９０の指令に従ってＣＣＤ２２、アナログ処理部１０４及びＡ／Ｄ変換器１０６に対してタイミング信号を与えており、このタイミング信号によって各回路の同期がとられている。
【００４４】
メモリ１１０に格納されたデータは、バス１１２を介して画像信号処理回路１１４に送られる。画像信号処理回路１１４は、輝度・色差信号生成回路、ガンマ補正回路、シャープネス補正回路、ホワイトバランス補正回路等を含む画像処理手段であり、カメラＣＰＵ９０からのコマンドにしたがって、画像信号を処理する。
【００４５】
画像信号処理回路１１４に入力された画像データは、輝度信号（Ｙ信号）及び色差信号（Ｃｒ，Ｃｂ信号）に変換されるとともに、ガンマ補正等の所定の処理が施される。画像信号処理回路１１４で生成された画像データは圧縮伸長回路１１６に送られ、ＪＰＥＧその他の所定の形式に従って圧縮される。圧縮された画像データは、メディアコントローラ１１８を介して記録メディア１２０に記録される。
【００４６】
圧縮形式はＪＰＥＧに限定されず、ＭＰＥＧその他の方式を採用してもよい。また、画像データを保存する手段は、メモリカードで代表される半導体メモリに限定されず、磁気ディスク、光ディスク、光磁気ディスクなど、種々の媒体を用いることができる。また、リムーバブルメディアに限らず、デジタルカメラ１０に内蔵された記録媒体（内部メモリなど）であってもよい。
【００４７】
モード選択スイッチ９４によって「再生モード」が選択されると、記録メディア１２０から画像ファイルが読み出される。読み出された画像データは、圧縮伸長回路１１６によって伸長処理され、ＶＲＡＭ１２２に送られる。ＶＲＡＭ１２２に格納されたデータは、
ビデオエンコーダ１２４によって表示用の所定方式の信号（例えば、ＮＴＳＣ方式のカラー複合映像信号）に変換された後、液晶モニタ６４に供給される。こうして記録メディア１２０に格納されている画像が液晶モニタ６４に表示される。
【００４８】
つぎに、本実施形態の作用について説明する。
【００４９】
デジタルカメラ１０は、ユーザーによって必要に応じ、撮影レンズユニット１６が交換される。その際、カメラ本体１２の開口部１７（図２参照）から、外部の塵埃など異物が、カメラ本体１２の内部に侵入する。このような異物がカバーガラス２４に付着すると、撮影画像に写り込んでしまう。よって、図６に示すように、例えば、スプレー缶１００を使用してエアー等のガスを開口１７から吹き付けて飛ばし、カバーガラス２４などを清掃している。
【００５０】
このようにエアー等のガスを吹き付けて飛ばしてカバーガラス１２などを清掃すると、カメラ本体１２内に塵埃等の異物が飛散する。飛散した異物は、蛇腹部材５０の内面５０Ａの粘着層と、ＣＣＤ２２の前面を保護するカバーガラス２４の外縁部に取り付けられた粘着部材６０の表面６０Ａの粘着層と、に付着する。よって、飛散して漂った異物がカバーガラス２４に再び付着し、撮影画像に映り込むことが防止される。なお、蛇腹部材６０の内面６０Ａ（粘着層）は蛇腹状のため表面積が広い、つまり、異物が付着する面積が広いので効果的である。
【００５１】
尚、本発明は、上記の実施の形態に限定されるものではない。
【００５２】
例えば、撮影光路面側に粘着層が形成された蛇腹部材は、撮影レンズから前記撮像素子までの光軸まわりの撮影光路外の一部分のみに配置される構成であっても良い。
【００５３】
また、例えば、上記実施形態では、主に静止画像を撮影するデジタルカメラ１０を例にとって説明したが、これに限定されない。主に動画を撮影するデジタルビデオカメラやＤＶＤカメラなど、各種電子カメラに本発明は適用することができる。
【図面の簡単な説明】
【００５４】
【図１】本発明の一の実施形態に係るデジタルカメラを示す斜視図である。
【図２】本発明の一の実施形態に係るデジタルカメラを示し、撮影レンズユニットを外した状態の斜視図である。
【図３】本発明の一の実施形態に係るデジタルカメラの背面を示す図である。
【図４】本発明の一の実施形態に係るデジタルカメラの内部を模式的に示す図である。
【図５】本発明の一の実施形態に係るデジタルカメラのＣＣＤ付近を示し、（Ａ）は正面から見た図、（Ｂ）は（Ａ）のＢ−Ｂ断面の図である。
【図６】本発明の一の実施形態に係るデジタルカメラの撮影レンズユニットを外し、清掃している様子を示す図である。
【図７】本発明の一の実施形態に係るデジタルカメラの内部構成を示すブロック図である。
【符号の説明】
【００５５】
１０      電子カメラ
１２      電子カメラ本体
１６      撮影レンズユニット
２２      ＣＣＤ（撮像素子）
５０      蛇腹部材
６０      粘着部材
２０１      光軸
３００      撮影レンズ
【図１】
2006060712.tif 000003
【図２】
2006060712.tif 000004
【図３】
2006060712.tif 000005
【図４】
2006060712.tif 000006
【図５】
2006060712.tif 000007
【図６】
2006060712.tif 000008
【図７】
2006060712.tif 000009